(57)【要約】  本願は、干渉源セルの位置決定方法、装置及び基地局に関し、通信技術分野に属する。当該方法は、システム全体のエイリアシング帯域幅を設定することと、前記エイリアシング帯域幅を基本単位とし、システム内の各セルのパイロットシーケンスを設定することと、各セルのパイロットシーケンス基づいて、時間領域データを生成することと、各セルの生成された時間領域データにＣＰを付けて特定データを生成し送信することと、他のセルにより送信された前記特定データを受信することと、解析を行い、他の各セルのエイリアシング帯域幅に対応する周波数領域データを取得することと、ローカルでシステム内の全ての可能な特殊パイロットシーケンスに基づいて、対応する周波数領域データを生成することと、ローカルで生成された周波数領域データ及び解析された周波数領域データに基づいて、対応する時間領域データを生成することと、取得された時間領域データに基づいて干渉源セルを確定することとを含む。したがって、干渉源セルの位置を簡単、効率に決定し、システムの複雑さを低減させることができる。
2019531033.tif 000002
【特許請求の範囲】
【請求項１】
他のセルにより送信された、パイロットシーケンスに基づいて生成された特定データを受信することと、
前記特定データを解析して、他の各セルのエイリアシング帯域幅に対応する周波数領域データを取得することと、
ローカルで前記システムの全ての可能な特殊パイロットシーケンスに基づいて、対応する周波数領域データを生成することと、
ローカルで生成された周波数領域データ及び解析された周波数領域データに基づいて、対応する時間領域データを生成することと、
取得された時間領域データに基づいて干渉源セルを確定することとを含む
干渉源セルの位置決定方法。
【請求項２】
前記他のセルにより送信された、パイロットシーケンスに基づいて生成された特定データを受信する前に、さらに、
各セルのパイロットシーケンス基づいて、時間領域データを生成することと、
各セルの生成された時間領域データにサイクリックプレフィックスＣＰを付けて前記特定データを生成し送信することを含む
請求項１に記載の干渉源セルの位置決定方法。
【請求項３】
前記各セルのパイロットシーケンス基づいて、時間領域データを生成する前に、さらに、
システム全体のエイリアシング帯域幅ＢInvを設定することと、
前記エイリアシング帯域幅ＢInvを基本単位とし、前記システム内の各セルのパイロットシーケンスを設定することとを含む
請求項２に記載の干渉源セルの位置決定方法。
【請求項４】
前記システムに複数のエイリアシング帯域幅が存在する場合、システム全体のエイリアシング帯域幅ＢInvとして帯域幅が最小であるエイリアシング帯域幅を選択する
請求項３に記載の干渉源セルの位置決定方法。
【請求項５】
前記各セルのパイロットシーケンス基づいて時間領域データを生成することは、
前記パイロットシーケンスの前及び／又は後に０値補間を行い、長さがＮsubcarrierであるシーケンスを生成することと、
前記長さがＮsubcarrierであるシーケンスに対し正負周波数切替を行い、中央に０値補間を行い、ＮFFT点の周波数領域データを生成することと、
前記ＮFFT点の周波数領域データに対し逆高速フーリエ変換ＩＦＦＴ操作を行い、ＮFFT点の時間領域データを生成することとを含み、
ここで、Ｎsubcarrierが前記エイリアシング帯域幅ＢInvに含まれるサブキャリアの数である
請求項３に記載の干渉源セルの位置決定方法。
【請求項６】
１つのセルの帯域幅が２n＊ＢInvに等しい場合、２ｎ個の前記パイロットシーケンスを設定し、２ｎ個の前記ＮFFT点の時間領域データを対応に生成し、生成された２ｎ個のＮFFT点の時間領域データを結合し、結合されたデータにＮcp点ＣＰを付け、
ここで、ｎが非負の整数である
請求項５に記載の干渉源セルの位置決定方法。
【請求項７】
前記特定データが(Ｎcp＋２n＊ＮFFT)点データであり、
前記特定データを解析して、他の各セルのエイリアシング帯域幅に対応する周波数領域データを取得することは、
前記特定データに対しＮcp点ＣＰを除去することと、
エイリアシング帯域幅に対応するＮFFT点の時間領域データを取得することと、
前記ＮFFT点の時間領域データに対し高速フーリエ変換ＦＦＴ操作を行い、ＮFFT点の周波数領域データＹinvを取得することとを含む
請求項６に記載の干渉源セルの位置決定方法。
【請求項８】
前記ローカルで生成された周波数領域データ及び解析された周波数領域データに基づいて、対応する時間領域データを生成することは、
ローカルで生成された周波数領域データ及び解析された周波数領域データに対し共役点乗算操作を行い、Ｒを取得することと、
Ｒに対しＩＦＦＴ操作を行ってＮFFT点の時間領域データＲtを取得することとを含む
請求項１に記載の干渉源セルの位置決定方法。
【請求項９】
前記取得された時間領域データに基づいて干渉源セルを確定することは、
他の各セルに対応する時間領域データＲtに対しピーク検索を行い、
Ｒtに顕著なピークが現れた場合、対応する他のセルが前記干渉源セルであることを含む
請求項８に記載の干渉源セルの位置決定方法。
【請求項１０】
基地局のベースバンド処理ユニットに応用される干渉源セルの位置決定装置であって、
他のセルにより送信された、パイロットシーケンスに基づいて生成された特定データを受信するように構成される受信モジュールと、
前記特定データを解析して、他の各セルのエイリアシング帯域幅に対応する周波数領域データを取得するように構成される解析モジュールと、
ローカルで前記システムの全ての可能な特殊パイロットシーケンスに基づいて、対応する周波数領域データを生成し、ローカルで生成された周波数領域データ及び解析された周波数領域データに基づいて、対応する時間領域データを生成するように構成される生成モジュールと、
取得された時間領域データに基づいて干渉源セルを確定するように構成される確定モジュールとを含む
干渉源セルの位置決定装置。
【請求項１１】
前記生成モジュールは、さらに、各セルのパイロットシーケンス基づいて、時間領域データを生成し、各セルの生成された時間領域データにサイクリックプレフィックスＣＰを付けて前記特定データを生成するように構成され、
当該干渉源セルの位置決定装置はさらに送信モジュールを含み、
前記送信モジュールは、生成された特定データを他のセルに送信するように構成される
請求項１０に記載の干渉源セルの位置決定装置。
【請求項１２】
設定モジュールをさらに含み、
前記設定モジュールは、システム全体のエイリアシング帯域幅ＢInvを設定し、前記エイリアシング帯域幅ＢInvを基本単位とし、前記システム内の各セルのパイロットシーケンスを設定するように構成される
請求項１１に記載の干渉源セルの位置決定装置。
【請求項１３】
前記生成モジュールが各セルのパイロットシーケンス基づいて時間領域データを生成することは、
前記パイロットシーケンスの前及び／又は後に０値補間を行い、長さがＮsubcarrierであるシーケンスを生成し、
前記長さがＮsubcarrierであるシーケンスに対し正負周波数切替を行い、中央に０値補間を行い、ＮFFT点の周波数領域データを生成し、
前記ＮFFT点の周波数領域データに対し逆高速フーリエ変換ＩＦＦＴ操作を行い、ＮFFT点の時間領域データを生成することを含み、
ここで、Ｎsubcarrierが前記エイリアシング帯域幅ＢInvに含まれるサブキャリアの数である
請求項１２に記載の干渉源セルの位置決定装置。
【請求項１４】
前記生成モジュールがローカルで生成された周波数領域データ及び解析された周波数領域データに基づいて、対応する時間領域データを生成することは、
前記ローカルで生成された周波数領域データ及び解析された周波数領域データに対し共役点乗算操作を行ってＲを取得し、Ｒに対しＩＦＦＴ操作を行ってＮFFT点の時間領域データＲtを取得することを含む
請求項１０に記載の干渉源セルの位置決定装置。
【請求項１５】
ベースバンド処理ユニットを含む基地局であって、
前記ベースバンド処理ユニットは、
他のセルにより送信された、パイロットシーケンスに基づいて生成された特定データを受信し、
前記特定データを解析して、他の各セルのエイリアシング帯域幅に対応する周波数領域データを取得し、
ローカルで前記システムの全ての可能な特殊パイロットシーケンスに基づいて、対応する周波数領域データを生成し、
ローカルで生成された周波数領域データ及び解析された周波数領域データに基づいて、対応する時間領域データを生成し、
取得された時間領域データに基づいて干渉源セルを確定するように構成される、基地局。
【請求項１６】
前記ベースバンド処理ユニットは、さらに、
各セルのパイロットシーケンス基づいて、時間領域データを生成し、
各セルの生成された時間領域データにサイクリックプレフィックスＣＰを付けて前記特定データを生成し送信するように構成される
請求項１５に記載の基地局。
【請求項１７】
前記ベースバンド処理ユニットは、さらに、
システム全体のエイリアシング帯域幅ＢInvを設定し、
前記エイリアシング帯域幅ＢInvを基本単位とし、前記システム内の各セルのパイロットシーケンスを設定するように構成される
請求項１６に記載の基地局。
【発明の詳細な説明】
【技術分野】
【０００１】
本願は通信技術分野に関し、特に、干渉源セルの位置決定方法、装置及び基地局に関する。
【背景技術】
【０００２】
ＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ：時分割長期進化）システムにおいて、基地局が厳格な時間同期を保持することが要求されており、通常、ＧＰＳ同期の方式を利用して基地局の間のタイミング同期を保証する。同じ周波数カバーの方式によってネットワークを構成されるため、隣接するセルの間の相互干渉が存在している。さらに、ＴＤ−ＬＴＥシステムのアップリンク・ダウンリンクの伝送共有周波数により、ＴＤ−ＬＴＥシステムにおいて、従来のセル間の干渉の以外に、遠端の基地局のダウンリンク信号がターゲットセルのアップリンク信号を干渉することもある。
【０００３】
電磁波の伝搬特性により、あるシーン（例えば、空気の伝搬環境が良く、大気ダクトがある）において、ＴＤ−ＬＴＥシステムの長距離の同じ周波数干渉が、遠く離れた基地局の間（数十キロあるいは数百キロ）で発生する可能性もあり、さらに、遠端の送信ソースからのダウンリンク信号が伝搬遅延により近端の同じ周波数のターゲット基地局に到着した後、ターゲット基地局の他の伝送タイムスロットに進入する可能性があるため、近端のターゲットシステムの正常動作に影響を与え、さらに、このような干渉が、複数の基地局の累積されて重畳される効果である。
【０００４】
実際の応用において、干渉を印加するセルの一定のタイムスロットで特定のカスタムパイロットシーケンスを送信し、干渉を受けるセル側で当該パイロットシーケンスを検定すると考える。当該パイロットシーケンスが一定の方式によって干渉の印加するセルに一対一対応するため、干渉を受ける干渉セルは、どの遠端のセルが自身に干渉することを把握することができる。
【０００５】
しかし、実際のシステムにおいて、各セルによって異なる帯域幅が存在し、従来の技術案を採用する場合、ターゲットセルは、全ての可能な帯域幅の組み合わせを経て探索してから、干渉の印加するセルを見つける可能性がある。また、ターゲットセルによって検定方式が異なる。システム全体において、干渉源セルの位置を決定するプロセスが非常に複雑になる。
【発明の概要】
【０００６】
本発明の実施例は、ＴＤ−ＬＴＥシステムにおいて干渉源セルの位置を簡易かつ高効率に決定することができる干渉源セルの位置決定方法、装置及び基地局を提供する。
【０００７】
本発明の実施例は、干渉源セルの位置決定方法を提供し、当該方法は、他のセルにより送信された、パイロットシーケンスに基づいて生成された特定データを受信することと、前記特定データを解析して、他の各セルのエイリアシング帯域幅に対応する周波数領域データを取得することと、ローカルで前記システムの全ての可能な特殊パイロットシーケンスに基づいて、対応する周波数領域データを生成することと、ローカルで生成された周波数領域データ及び解析された周波数領域データに基づいて、対応する時間領域データを生成することと、取得された時間領域データに基づいて干渉源セルを確定することとを含む。
【０００８】
選択可能で、当該方法は、前記他のセルにより送信された、パイロットシーケンスに基づいて生成された特定データを受信する前に、さらに、各セルのパイロットシーケンス基づいて、時間領域データを生成することと、各セルの生成された時間領域データにサイクリックプレフィックスＣＰを付けて前記特定データを生成し送信することとを含む。
【０００９】
選択可能で、当該方法は、前記各セルのパイロットシーケンス基づいて、時間領域データを生成する前に、さらに、システム全体のエイリアシング帯域幅ＢInvを設定することと、前記エイリアシング帯域幅ＢInvを基本単位とし、前記システム内の各セルのパイロットシーケンスを設定することとを含む。
【００１０】
選択可能で、前記システムに複数のエイリアシング帯域幅が存在する場合、システム全体のエイリアシング帯域幅ＢInvとして帯域幅が最小であるエイリアシング帯域幅を選択する。
【００１１】
選択可能で、前記各セルのパイロットシーケンス基づいて、時間領域データを生成することは、前記パイロットシーケンスの前及び／又は後に０値補間を行い、長さがＮsubcarrierであるシーケンスを生成することと、前記長さがＮsubcarrierであるシーケンスに対し正負周波数切替を行い、中央に０値補間を行い、ＮFFT点の周波数領域データを生成することと、前記ＮFFT点の周波数領域データに対し逆高速フーリエ変換ＩＦＦＴ操作を行い、ＮFFT点の時間領域データを生成することとを含み、ここで、Ｎsubcarrierが前記エイリアシング帯域幅ＢInvに含まれるサブキャリアの数である。
【００１２】
選択可能で、１つのセルの帯域幅が２n＊ＢInvに等しい場合、２ｎ個の前記パイロットシーケンスを設定し、２ｎ個の前記ＮFFT点の時間領域データを対応に生成し、生成された２ｎ個のＮFFT点の時間領域データを結合し、結合されたデータにＮcp点ＣＰを付け、ここで、ｎが非負の整数である。
【００１３】
選択可能で、前記特定データが(Ｎcp＋２n＊ＮFFT)点データであり、前記特定データを解析して、他の各セルのエイリアシング帯域幅に対応する周波数領域データを取得することは、前記特定データに対しＮcp点ＣＰを除去することと、エイリアシング帯域幅に対応するＮFFT点の時間領域データを取得することと、前記ＮFFT点の時間領域データに対し高速フーリエ変換ＦＦＴ操作を行い、ＮFFT点の周波数領域データＹinvを取得することとを含む。
【００１４】
選択可能で、前記ローカルで生成された周波数領域データ及び解析された周波数領域データに基づいて、対応する時間領域データを生成することは、ローカルで生成された周波数領域データ及び解析された周波数領域データに対し共役点乗算操作を行い、Ｒを取得することと、Ｒに対しＩＦＦＴ操作を行ってＮFFT点の時間領域データＲtを取得することとを含む。
【００１５】
選択可能で、前記取得された時間領域データに基づいて干渉源セルを確定することは、他の各セルに対応する時間領域データＲtに対しピーク検索を行い、Ｒtに顕著なピークが現れた場合、対応する他のセルが前記干渉源セルであることを含む。
【００１６】
本発明の実施例はまた、干渉源セルの位置決定装置を提供し、当該装置は、受信モジュール、解析モジュール、生成モジュール及び確定モジュールを含み、受信モジュールは、他のセルにより送信された、パイロットシーケンスに基づいて生成された特定データを受信するように構成され、解析モジュールは、前記特定データを解析して、他の各セルのエイリアシング帯域幅に対応する周波数領域データを取得するように構成され、生成モジュールは、ローカルで前記システムの全ての可能な特殊パイロットシーケンスに基づいて、対応する周波数領域データを生成し、ローカルで生成された周波数領域データ及び解析された周波数領域データに基づいて、対応する時間領域データを生成するように構成され、確定モジュールは、取得された時間領域データに基づいて干渉源セルを確定するように構成される。
【００１７】
選択可能で、前記生成モジュールは、さらに、各セルのパイロットシーケンス基づいて、時間領域データを生成し、各セルの生成された時間領域データにサイクリックプレフィックスＣＰを付けて前記特定データを生成するように構成され、当該装置は、さらに、送信モジュールを含み、送信モジュールは、生成された特定データを他のセルに送信するように構成される。
【００１８】
選択可能で、当該装置は、さらに、設定モジュールを含み、設定モジュールは、システム全体のエイリアシング帯域幅ＢInvを設定し、前記エイリアシング帯域幅ＢInvを基本単位とし、前記システム内の各セルのパイロットシーケンスを設定するように構成される。
【００１９】
選択可能で、前記生成モジュールが各セルのパイロットシーケンス基づいて、時間領域データを生成することは、前記パイロットシーケンスの前及び／又は後に０値補間を行い、長さがＮsubcarrierであるシーケンスを生成することと、前記長さがＮsubcarrierであるシーケンスに対し正負周波数切替を行い、中央に０値補間を行い、ＮFFT点の周波数領域データを生成することと、前記ＮFFT点の周波数領域データに対し逆高速フーリエ変換ＩＦＦＴ操作を行い、ＮFFT点の時間領域データを生成することとを含み、ここで、Ｎsubcarrierが前記エイリアシング帯域幅ＢInvに含まれるサブキャリアの数である。
【００２０】
選択可能で、前記生成モジュールがローカルで生成された周波数領域データ及び解析された周波数領域データに基づいて、対応する時間領域データを生成することは、前記ローカルで生成された周波数領域データ及び解析された周波数領域データに対し共役点乗算操作を行ってＲを取得し、Ｒに対しＩＦＦＴ操作を行ってＮFFT点の時間領域データＲtを取得することを含む。
【００２１】
本発明の実施例はまた、ベースバンド処理ユニットを含む基地局を提供し、前記ベースバンド処理ユニットは、他のセルにより送信された、パイロットシーケンスに基づいて生成された特定データを受信し、前記特定データを解析して、他の各セルのエイリアシング帯域幅に対応する周波数領域データを取得し、ローカルで前記システムの全ての可能な特殊パイロットシーケンスに基づいて、対応する周波数領域データを生成し、ローカルで生成された周波数領域データ及び解析された周波数領域データに基づいて、対応する時間領域データを生成し、取得された時間領域データに基づいて干渉源セルを確定するように構成される。
【００２２】
選択可能で、前記ベースバンド処理ユニットは、さらに、各セルのパイロットシーケンス基づいて、時間領域データを生成し、各セルの生成された時間領域データにサイクリックプレフィックスＣＰを付けて前記特定データを生成し送信するように構成される。
【００２３】
選択可能で、前記ベースバンド処理ユニットは、さらに、システム全体のエイリアシング帯域幅ＢInvを設定し、前記エイリアシング帯域幅ＢInvを基本単位とし、前記システム内の各セルのパイロットシーケンスを設定するように構成される。
【００２４】
本発明の実施例による干渉源セルの位置決定方法、装置及び基地局は、当該システムに複数の種類の異なる帯域幅が混在してエイリアシングされる場合、各種の帯域幅の組み合わせを経て検定する必要がなく、エイリアシング帯域幅で関連する可能なシーケンスを検定して、干渉源セルの位置を決定することができ、干渉源セルの位置決定の複雑さを低減させ、干渉源セルの位置を簡易かつ高効率に決定することができる。
【図面の簡単な説明】
【００２５】
【図１】本発明の干渉源セルの位置決定方法の好ましい実施例のフローチャートである。
【図２】本発明のＴＤ−ＬＴＥシステムの実施例における各セルの帯域幅の模式図である。
【図３】図２の第１干渉セルと第２干渉セルが特定データを生成する過程の好ましい実施例のフローチャートである。
【図４】図２の第３干渉セルが特定データを生成する過程の好ましい実施例のフローチャートである。
【図５】図２のターゲットセルが干渉源セルの位置を決定する過程の好ましい実施例のフローチャートである。
【図６】本発明の干渉源セルの位置決定装置の好ましい実施例のモジュールの模式図である。
【００２６】
本発明の目的の実現、機能、特徴及び利点は、実施例を結合し、図面に基づいて説明する。
【発明を実施するための形態】
【００２７】
本発明の解決しようとする課題、技術案、効果を明らかになるために、以下、図面及び実施例を参照して、本発明を詳しく説明する。なお、ここで記載される具体的な実施例は、本発明を解釈するものであり、本発明を限定するものでない。
【００２８】
図１に示すように、本発明の１つの実施例は、干渉源セルの位置決定方法を提供し、ＴＤ−ＬＴＥシステムの基地局に応用され、ターゲットセル（被干渉セル）が遠端のセルからの信号干渉を受ける場合、干渉源セルの位置を正確に決定するために用いられる。当該方法は、以下のステップを含む。
【００２９】
Ｓ１０２において、通信システム全体のエイリアシング帯域幅を設定する。
【００３０】
具体的に、上記通信システムがＴＤ−ＬＴＥシステムである。通信システム全体の各セルに多種の帯域幅の組合せが存在する場合、それらの間に帯域幅の重畳部分が存在し、各重畳部分が１つのエイリアシング帯域幅ＢInv_xとなる。
【００３１】
エイリアシング帯域幅として、ＢInv_x＝（２）-N＊Ｂcell_nであり、ここで、Ｂcell_nが当該通信システムの全てのセル帯域幅である。同一の通信システムにおいて、エイリアシング帯域幅が１つ又は複数であってもよい。複数のエイリアシング帯域幅ＢInv_xが存在する場合、通信システム全体のエイリアシング帯域幅ＢInvとしてその中の帯域幅が最小であるものを選択する。エイリアシング帯域幅ＢInvはＮsubcarrier個のサブキャリアを含む。
【００３２】
例えば、図２に示すように、図２の通信システムが２０Ｍ及び１０Ｍ帯域幅のセルからなり、ターゲットセルが３つのセルからの干渉を受ける。ここで、ターゲットセルの帯域幅が２０Ｍ、第１干渉セルの帯域幅が２０Ｍ、第２干渉セルの帯域幅が２０Ｍ、第３干渉セルの帯域幅が１０Ｍ、当該通信システムのエイリアシング帯域幅ＢInvが１０Ｍである。
【００３３】
Ｓ１０４において、前記エイリアシング帯域幅を基本単位とし、当該通信システム内の各セルのパイロットシーケンスを設定する。
【００３４】
具体的に、エイリアシング帯域幅ＢInvを基本単位とし、当該通信システム内の各セルの帯域幅をいくつかの部分に分け、各部分に対応する周波数領域データに対し、パイロットシーケンスを生成する。当該パイロットシーケンスは、ｍシーケンス、ｇｏｌｄシーケンス、ＺＣシーケンス、又は他の自己相関性が良く、相互相関性が良くないシーケンスであってもよい。前記パイロットシーケンスの長さがＮsubcarrierより小さく、ＮSequenceと記載される。
【００３５】
例えば、図２の第１干渉セル（又は第２干渉セル）の帯域幅が２つのエイリアシング帯域幅ＢInvに等しく、この場合、当該第１干渉セル（又は第２干渉セル）が２つのパイロットシーケンスＮSequenceを設定する必要がある。
【００３６】
Ｓ１０６において、各セルのパイロットシーケンス基づいて、時間領域データを生成する。
【００３７】
本実施例において、パイロットシーケンスＮSequenceの前及び／又は後に０値補間を行い、長さがＮsubcarrierであるシーケンスを生成し、次に、正負周波数切替を行い、中央に０値補間を行い、ＮFFT点の周波数領域データを生成し、ＮFFT点の周波数領域データに対しＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）操作を行い、ＮFFT点の時間領域データを生成する。
【００３８】
Ｓ１０８において、各セルの生成された時間領域データにＣＰ（ＣｙｃｌｉｃＰｒｅｆｉｘ：サイクリックプレフィックス）を付けて特定データを生成し、それを送信する。
【００３９】
具体的に、あるセルの帯域幅が２n＊ＢInvに等しい場合（ｎ＝０,１,２,３…）、２ｎ個のパイロットシーケンスＮSequenceを設定し、これに対応し、２ｎ個のＮFFT点の時間領域データを生成し、生成された２ｎ個のＮFFT点の時間領域データを結合し、結合されたデータにＮcp点ＣＰを付ける。ここで、ｎ＝０即ち当該セルの帯域幅がエイリアシング帯域幅ＢInvに等しい場合、１つのパイロットシーケンスＮSequenceを設定し、これに対応し、ＮFFT点の時間領域データを生成し、生成されたＮFFT点の時間領域データにＮcp点ＣＰを直接に付ける。
【００４０】
例えば、図３及び図４に示すように、図２の第１干渉セル（又は第２干渉セル）と第３干渉セルが前記特定データを生成する過程に（即ち、上記のステップＳ１０４〜Ｓ１０８）対応するフローチャートである。
【００４１】
なお、多種の方式で、各エイリアシング帯域幅ＢInvに対応する周波数領域データに基づいて、時間領域データを生成することができるが、本実施例はその中の1つを挙げる。他の方式が本発明に同様応用されることは、当業者が容易想到するものである。
【００４２】
さらに、ターゲットセルが干渉を受ける場合、以下のように干渉源セルの位置を決定する。
【００４３】
Ｓ１１０において、他のセルにより送信された特定データを受信する。
【００４４】
具体的に、ターゲットセルは、他の各セルにより送信された前記特定データを受信し、前記特定データが(Ｎcp＋２n＊ＮFFT)点データである。
【００４５】
Ｓ１１２において、受信された特定データを解析し、他の各セルのエイリアシング帯域幅に対応する周波数領域データを取得する。
【００４６】
具体的に、他の各セルからの前記特定データに対し、まず、当該特定データにＮcp点ＣＰを除去し、エイリアシング帯域幅に対応するＮFFT点の時間領域データを取得する。次に、当該ＮFFT点の時間領域データに対しＦＦＴ（Ｆａｓｔ  Ｆｏｕｒｉｅｒ  Ｔｒａｎｓｆｏｒｍ：高速フーリエ変換）操作を行って、ＮFFT点の周波数領域データＹinvを取得する。
【００４７】
Ｓ１１４において、ローカルで当該通信システム内の全ての可能な特殊パイロットシーケンスに基づいて、対応する周波数領域データを生成する。
【００４８】
具体的に、ターゲットセルは、ローカルで当該通信システム内の全ての長さがＮSequenceである特殊パイロットシーケンスに対し、上記のステップＳ１０６のように周波数領域データＳを生成する。
【００４９】
Ｓ１１６において、ローカルで生成された周波数領域データ及び解析された周波数領域データに対し、共役点乗算操作及びＩＦＦＴ操作を行って、対応する時間領域データを取得する。
【００５０】
具体的に、ターゲットセルは、ローカルで生成された周波数領域データＳ及び解析された周波数領域データＹinvに対し、共役点乗算操作を行ってＲ即ちＲ＝Ｓ*.＊Ｙinvを取得する。次に、Ｒに対しＮFFT点のＩＦＦＴ操作を行ってＮFFT点の時間領域データＲtを取得する。他の各セルも１つの対応する時間領域データＲtを取得する。
【００５１】
Ｓ１１８において、取得された時間領域データに基づいて干渉源セルを確定する。
【００５２】
具体的に、他の各セルに対応する時間領域データＲtに対し、ピーク検索を行い、ローカルのパイロットシーケンスが送信側（他のセル）のパイロットシーケンスと同じである場合、Ｒtに明らかなピークが存在し、当該他のセルが干渉源セルであることを示し、受信側（ターゲットセル）がこれによって干渉源セルの情報を確定することができる。
【００５３】
例えば、図５に示すように、図２のターゲットセルが干渉源セルの位置を決定するする過程（即ち、上記ステップＳ１１０〜Ｓ１１８）に対応するフローチャートである。
【００５４】
前記干渉源セルの位置決定方法は、干渉を印加するセルが特定の時間領域及び周波数領域リソースにおいて、特定のパイロットシーケンスに基づいて生成された特定データを送信し、ターゲットセルが特定の時間領域及び周波数領域リソースにおいて、当該特定データを検定し、各セルの送信した当該特定データが、通信システムにおいて他の全てのセルに対して既知のものである。当該通信システムに多種の異なる帯域幅が混在してエイリアシングされる場合、各種の帯域幅の組合せを経て検定する必要がなく、エイリアシング帯域幅において関連するシーケンスを検定し、干渉源セルの位置決定を行うことができる。当該方法は、干渉源セルの位置決定の複雑さを低減させ、干渉源セルの位置を簡易かつ高効率に決定することができる。
【００５５】
図６に示すように、本発明の実施例は、干渉源セルの位置決定装置６００を提供し、ＴＤ−ＬＴＥシステムの基地局のベースバンド処理ユニットに応用され、ターゲットセルが遠端のセルからの信号干渉を受ける場合、干渉源セルの位置を正確に決定する。
【００５６】
本実施例において、干渉源セルの位置決定装置６００は、設定モジュール６０２、生成モジュール６０４、送信モジュール６０６、受信モジュール６０８、解析モジュール６１０及び確定モジュール６１２を含む。
【００５７】
前記設定モジュール６０２は、通信システム全体のエイリアシング帯域幅を設定するように構成される。
【００５８】
具体的に、前記通信システムがＴＤ−ＬＴＥシステムである。通信システム全体の各セルに多種の帯域幅の組合せが存在する場合、それらの間に帯域幅の重畳部分が存在し、各重畳部分が１つのエイリアシング帯域幅ＢInv_xとなる。
【００５９】
エイリアシング帯域幅として、ＢInv_x＝（２）-N＊Ｂcell_nであり、ここで、Ｂcell_nが当該通信システムの全てのセル帯域幅である。同一の通信システムにおいて、エイリアシング帯域幅が１つ又は複数であってもよい。複数のエイリアシング帯域幅ＢInv_xが存在する場合、通信システム全体のエイリアシング帯域幅ＢInvとしてその中の帯域幅が最小であるものを選択する。エイリアシング帯域幅ＢInvはＮsubcarrier個のサブキャリアを含む。
【００６０】
前記設定モジュール６０２は、前記エイリアシング帯域幅を基本単位とし、当該通信システム内の各セルのパイロットシーケンスを設定するように構成される。
【００６１】
具体的に、エイリアシング帯域幅ＢInvを基本単位とし、当該通信システム内の各セルの帯域幅をいくつかの部分に分け、各部分に対応する周波数領域データに対し、パイロットシーケンスを生成する。当該パイロットシーケンスは、ｍシーケンス、ｇｏｌｄシーケンス、ＺＣシーケンス、又は他の自己相関性が良く、相互相関性が良くないシーケンスであってもよい。前記パイロットシーケンスの長さがＮsubcarrierより小さく、ＮSequenceと記載される。
【００６２】
前記生成モジュール６０４は、各セルのパイロットシーケンス基づいて、時間領域データを生成するように構成される。
【００６３】
本実施例において、パイロットシーケンスＮSequenceの前及び／又は後に０値補間を行い、長さがＮsubcarrierであるシーケンスを生成し、そして、正負周波数切替を行い、中央に０値補間を行い、ＮFFT点の周波数領域データを生成し、ＮFFT点の周波数領域データに対しＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）操作を行い、ＮFFT点の時間領域データを生成する。
【００６４】
前記生成モジュール６０４は、さらに、各セルの生成された時間領域データにＣＰ（Ｃｙｃｌｉｃ  Ｐｒｅｆｉｘ：サイクリックプレフィックス）を付けて特定データを生成するように構成される。
【００６５】
具体的に、あるセルの帯域幅が２n＊ＢInvに等しい場合（ｎ＝０,１,２,３…..）、２ｎ個のパイロットシーケンスＮSequenceを設定し、これに対応し、２ｎ個のＮFFT点の時間領域データを生成し、生成された２ｎ個のＮFFT点の時間領域データを結合し、結合されたデータにＮcp点ＣＰを付ける。ここで、ｎ＝０即ち当該セルの帯域幅がエイリアシング帯域幅
ＢInvに等しい場合、１つのパイロットシーケンスＮSequenceを設定し、これに対応し、ＮFFT点の時間領域データを生成し、生成されたＮFFT点の時間領域データにＮcp点ＣＰを直接に付ける。
【００６６】
前記送信モジュール６０６は、前記特定データを他のセルに送信するよう構成される。
【００６７】
前記受信モジュール６０８は、他のセルにより送信された特定データを受信するように構成される。
【００６８】
具体的に、ターゲットセルは、他の各セルにより送信された前記特定データを受信し、前記特定データが(Ｎcp＋２n＊ＮFFT)点のデータである。
【００６９】
前記解析モジュール６１０は、受信された特定データを解析し、他の各セルのエイリアシング帯域幅に対応する周波数領域データを取得するように構成される。
【００７０】
具体的に、他の各セルからの前記特定データに対し、まず、当該特定データにＮcp点ＣＰを除去し、エイリアシング帯域幅に対応するＮFFT点の時間領域データを取得する。次に、当該ＮFFT点の時間領域データに対しＦＦＴ（Ｆａｓｔ  Ｆｏｕｒｉｅｒ  Ｔｒａｎｓｆｏｒｍ：高速フーリエ変換）操作を行って、ＮFFT点の周波数領域データＹinvを取得する。
【００７１】
前記生成モジュール６０４は、ローカルで当該通信システム内の全ての可能な特殊パイロットシーケンスに基づいて、対応する周波数領域データを生成するように構成される。
【００７２】
具体的に、ターゲットセルは、ローカルで当該通信システム内の全ての長さがＮSequenceである特殊パイロットシーケンスに対し、送信側と同じ方式で周波数領域データＳを生成する
【００７３】
前記生成モジュール６０４は、ローカルで生成された周波数領域データ及び解析された周波数領域データに対し、共役点乗算操作及びＩＦＦＴ操作を行って、対応する時間領域データを取得するように構成される。
【００７４】
具体的に、ターゲットセルは、ローカルで生成された周波数領域データＳ及び解析された周波数領域データＹinvに対し、共役点乗算操作を行ってＲ即ちＲ＝Ｓ*.＊Ｙinvを取得する。そして、Ｒに対しＮFFT点のＩＦＦＴ操作を行ってＮFFT点の時間領域データＲtを取得する。他の各セルも１つの対応する時間領域データＲtを取得する。
【００７５】
前記確定モジュール６１２は、取得された時間領域データに基づいて干渉源セルを確定するように構成される。
【００７６】
具体的に、他の各セルに対応する時間領域データＲtに対し、ピーク検索を行い、ローカルのパイロットシーケンスが送信側（他のセル）のパイロットシーケンスと同じである場合、Ｒt に明らかなピークが存在し、当該他のセルが干渉源セルであることを示し、受信側（ターゲットセル）がこれによって干渉源セルの情報を確定することができる。
【００７７】
なお、前記干渉源セルの位置決定装置６００は、当該ＴＤ−ＬＴＥシステムの各セル（基地局）にベースバンド処理ユニットに応用され、前記モジュール６０２〜６０６の機能を実行して他のセルに特定データを送信する。１つのセルが干渉を受ける場合（ターゲットセルとなる場合）、当該セル内の干渉源セルの位置決定装置６００は、前記モジュール６０８〜６１２の機能を実行して干渉源セルを見つけることができる。
【００７８】
なお、本明細書において、「含む」、「含まれる」又はこのような他の単語は、非排他的インクルージョンを意味し、この場合、一連の要素を含む過程、方法、部品又は装置は、これらの要素だけでなく、他の以外の要素も含み、又は、この過程、方法、部品又は装置に固有される要素を含む。特に限定しない場合、「１つの……を含む」に限定される要素は、当該要素を含む過程、方法、物又は装置に以外に、同様の他の要素が存在することがある。
【００７９】
上記の実施例によって、上記の実施例の方法がソフトウェア及びユニバーサルハードウェアプラットフォームにより実現してもよいし、ハードウェアで実現してもよいし、前者が好ましい実施例であることは、当業者が分かるものである。このように、本発明の技術案の従来技術に貢献する部分は、ソフトウェアで体現し、当該コンピュータソフトウェア製品が記憶媒体（例えばＲＯＭ/ＲＡＭ、磁気ディスク、光ディスク）に記憶され、いくつかの命令を含み、これによって、１つの端末（携帯電話、コンピュータ、サーバー、エアコン、又はネットワーク機器など）で本発明各の実施例の方法を実行する。
【００８０】
以上、図面を参照して本発明の好ましい実施例を説明するが、本発明の請求項を限定しない。上記の本発明の実施例の番号は例示的なのものであり、実施例の良いか悪いかを意味しない。また、フローチャートに論理的順序を示すが、ここでの順序と相違してもよい。
【００８１】
以上、本発明の好ましい実施例を説明しており、これは本発明を限定したものでなく、当業者は、本発明が各種の変更及び変化を有すると理解される。本発明の精神と原則内の如何なる改良、同等の交換、変更等のいずれも、本発明の保護範囲に含まれる。
産業上の利用可能性
【００８２】
本発明の実施例による技術案は、通信技術分野に応用される。本発明の実施例による干渉源セルの位置決定方法、装置及び基地局は、当該システムに多種の異なる帯域幅が混在してエイリアシングされる場合、各種の帯域幅の組合せを経て検定する必要がなく、エイリアシング帯域幅で関連するシーケンスを検定して、干渉ソースの位置を決定することができる。
【図１】
2019531033.tif 000003
【図２】
2019531033.tif 000004
【図３】
2019531033.tif 000005
【図４】
2019531033.tif 000006
【図５】
2019531033.tif 000007
【図６】
2019531033.tif 000008
【国際調査報告】
2019531033.tif 000009
2019531033.tif 000010
2019531033.tif 000011
2019531033.tif 000012